(57)【要約】【課題】演算結果の整合性を向上させることができる判別システム、判別方法、及びプログラムを提供する。【解決手段】判別システム１は、演算部１１と、判定部１２と、を備える。演算部１１は、資源の使用状況に関する演算を繰り返し行う。判定部１２は、演算部１１が演算に用いる特定情報を判定する。演算部１１は、判定部１２が判定した特定情報を、切替タイミング以降の演算に用いるように構成されている。切替タイミングは、判定部１２が特定情報を判定した直後に演算部１１が行う演算よりも後のタイミングである。【選択図】図１
2019004666.tif 000002
【特許請求の範囲】
【請求項１】
資源の使用状況に関する演算を繰り返し行う演算部と、
前記演算部が演算に用いる特定情報を判定する判定部と、を備え、
前記演算部は、前記判定部が判定した前記特定情報を、切替タイミング以降の演算に用いるように構成され、
前記切替タイミングは、前記判定部が前記特定情報を判定した直後に前記演算部が行う演算より後のタイミングである
ことを特徴とする判別システム。
【請求項２】
前記判定部が判定した前記特定情報を記憶する情報記憶部と、
切替トリガを発生するトリガ発生部と、を更に備え、
前記切替タイミングは、前記トリガ発生部が前記切替トリガを発生したタイミングであり、
前記演算部は、前記切替タイミング以降の演算に、前記情報記憶部に記憶されている前記特定情報を用いて演算を行う
ことを特徴とする請求項１に記載の判別システム。
【請求項３】
前記トリガ発生部は、前記切替トリガを定期的に発生するように構成されている
ことを特徴とする請求項２に記載の判別システム。
【請求項４】
前記トリガ発生部は、所定条件が満たされると前記切替トリガを発生するように構成されている
ことを特徴とする請求項２に記載の判別システム。
【請求項５】
前記所定条件は、前記資源の使用量が閾値を下回るという条件である
ことを特徴とする請求項４に記載の判別システム。
【請求項６】
前記判定部が前記特定情報の判定を完了すると通知を行う通知部を更に備える
ことを特徴とする請求項２に記載の判別システム。
【請求項７】
ユーザからの操作入力を受け付ける操作部を更に備え、
前記トリガ発生部は、前記操作部が受け付けた入力情報に基づいて前記切替トリガを発生する
ことを特徴とする請求項６に記載の判別システム。
【請求項８】
前記演算部は、前記資源の使用状況として回路ごとの電力を演算により求めるように構成され、
前記判定部は、前記特定情報として前記回路ごとに印加される印加電圧を判定するように構成されている
ことを特徴とする請求項１〜７のいずれか１項に記載の判別システム。
【請求項９】
前記演算部の演算結果を表示する表示部を更に備える
ことを特徴とする請求項１〜８のいずれか１項に記載の判別システム。
【請求項１０】
前記演算部は、前記切替タイミングより前の演算に仮情報を用いる
ことを特徴とする請求項９に記載の判別システム。
【請求項１１】
前記表示部は、前記演算部が前記仮情報を用いて演算した演算結果を仮結果として表示する
ことを特徴とする請求項１０に記載の判別システム。
【請求項１２】
前記演算部の演算結果の履歴を記憶する履歴記憶部を更に備える
ことを特徴とする請求項１〜１１のいずれか１項に記載の判別システム。
【請求項１３】
前記演算部は、前記切替タイミングより前の前記資源の使用状況を、前記履歴記憶部に記憶されている前記演算部の演算結果と、前記判定部が判定した前記特定情報とを用いて再演算する
ことを特徴とする請求項１２に記載の判別システム。
【請求項１４】
前記演算部は、前記切替タイミングが属する単位期間における前記切替タイミングより前の前記資源の使用状況を、前記履歴記憶部に記憶されている前記演算部の演算結果と、前記判定部が判定した前記特定情報とを用いて再演算する
ことを特徴とする請求項１３に記載の判別システム。
【請求項１５】
資源の使用状況に関する演算を繰り返し行う演算処理と、
前記演算処理で演算に用いられる特定情報を判定する判定処理と、を含み、
前記演算処理では、前記判定処理で判定された前記特定情報を、切替タイミング以降の演算に用い、
前記切替タイミングは、前記判定処理で前記特定情報を判定した直後に前記演算処理で行う演算より後のタイミングである
ことを特徴とする判別方法。
【請求項１６】
コンピュータシステムに、請求項１５に記載の判別方法を実行させる
プログラム。
【発明の詳細な説明】
【技術分野】
【０００１】
本発明は、一般に判別システム、判別方法、及びプログラムに関し、より詳細には、資源の使用状況に関する演算を行う判別システム、判別方法、及びプログラムに関する。
【背景技術】
【０００２】
従来、分電盤における複数の分岐ブレーカ（配線用遮断器）の種類を特定する識別情報を、各分岐ブレーカに接続される分岐回路に関連付けて記憶するメモリ媒体を備えたエネルギ管理システムが提案されている（例えば特許文献１参照）。ここで、分岐回路（分岐ブレーカ）の種類には、「電圧」（１００〔Ｖ〕又は２００〔Ｖ〕）が含まれている。このエネルギ管理システムでは、計測した電流に基づいて使用電力を算出する際に、メモリ媒体に記憶されている分岐回路の種類（「電圧」）が使用される。
【先行技術文献】
【特許文献】
【０００３】
【特許文献１】特開２０１５−８９２３２号公報
【発明の概要】
【発明が解決しようとする課題】
【０００４】
メモリ媒体に分岐回路の種類が新たに記憶された場合、あるいは分岐回路の種類のデータが更新された場合、その前後において使用電力の値が大きく変化するおそれがある。したがって、ユーザが使用電力のデータを確認した際に、時系列においてデータの急な変化に違和感を感じるおそれがある。
【０００５】
本発明は、上記事由に鑑みてなされており、その目的は、演算結果の整合性を向上させることができる判別システム、判別方法、及びプログラムを提供することにある。
【課題を解決するための手段】
【０００６】
本発明の一態様に係る判別システムは、演算部と、判定部と、を備える。前記演算部は、資源の使用状況に関する演算を繰り返し行う。前記判定部は、前記演算部が演算に用いる特定情報を判定する。前記演算部は、前記判定部が判定した前記特定情報を、切替タイミング以降の演算に用いるように構成されている。前記切替タイミングは、前記判定部が前記特定情報を判定した直後に前記演算部が行う演算より後のタイミングである。
【０００７】
本発明の一態様に係る判別方法は、演算処置と、判定処理と、を含む。前記演算処理では、資源の使用状況に関する演算を繰り返し行う。前記判定処理では、前記演算処理で演算に用いられる特定情報を判定する。前記演算処理では、前記判定処理で判定された前記特定情報を、切替タイミング以降の演算に用いる。前記切替タイミングは、前記判定処理で前記特定情報を判定した直後に前記演算処理で行う演算より後のタイミングである。
【０００８】
本発明の一態様に係るプログラムは、コンピュータシステムに、前記判別方法を実行させる。
【発明の効果】
【０００９】
本発明の判別システム、判別方法、及びプログラムでは、演算結果の整合性を向上させることができるという効果がある。
【図面の簡単な説明】
【００１０】
【図１】図１は、本発明の一実施形態に係る判別システムのブロック図である。
【図２】図２は、同上の判別システムが設けられる分電盤の構成を示すブロック図である。
【図３】図３は、同上の判別システムが備える表示部の表示画面の説明図である。
【図４】図４は、同上の判別システムが備える表示部の別の表示画面の説明図である。
【図５】図５は、同上の判別システムの動作を示すタイムチャートである。
【発明を実施するための形態】
【００１１】
以下、本発明の実施の形態を図面に基づいて説明する。ただし、以下に説明する実施形態は、本発明の様々な実施形態の一つに過ぎない。下記の実施形態は、本発明の目的を達成できれば、設計等に応じて種々の変更が可能である。
【００１２】
（１）概要
本実施形態に係る判別システム１について、図１及び図２を参照して説明する。本実施形態に係る判別システム１は、電力計測システムに用いられ、複数の分岐回路５の各々の種類を判定し、判定結果に基づいて分岐回路５ごとの電力を演算し、演算結果を表示するシステムである。
【００１３】
例えば、単相三線式の配電方式であれば、分電盤は、図１に示すように、第１電圧線（Ｌ１相）４１と、第２電圧線（Ｌ２相）４２と、中性線（Ｎ相）４３とを含む３本の電力線４に電気的に接続される。
【００１４】
そして、分電盤は、この電力線４から交流電力を複数（図１の例では３つ）の分岐回路５１〜５３に分配する。そのため、複数の分岐回路５１〜５３には、「第１分岐回路」と、「第２分岐回路」と、「第３分岐回路」との３種類が存在する。「第１分岐回路」は、第１電圧線４１及び中性線４３に電気的に接続される。「第２分岐回路」は、第２電圧線４２及び中性線４３に電気的に接続される。「第３分岐回路」は、第１電圧線４１及び第２電圧線４２に電気的に接続される。なお、以下では、複数の分岐回路５１〜５３を特に区別しない場合には、複数の分岐回路５１〜５３の各々を「分岐回路５」ともいう。また、ここでいう「分岐回路５」は、分岐ブレーカ、並びに分岐ブレーカの二次側に接続される配線路、配線器具（アウトレット、壁スイッチなど）、及び各種の機器（エアコン、テレビ、照明器具、調理家電など）を含んでいる。
【００１５】
ここで、第１電圧線４１又は第２電圧線４２と、中性線４３との間の電圧が１００〔Ｖ〕（実効値）であるとすれば、「第１分岐回路」及び「第２分岐回路」には１００〔Ｖ〕が印加され、「第３分岐回路」には２００〔Ｖ〕が印加されることになる。判別システム１は、複数の分岐回路５の各々について、上述のように印加電圧の異なる３種類の分岐回路（第１分岐回路、第２分岐回路、第３分岐回路）のいずれに当たるかを、自動的に判定するように構成された判定部１２を備えている。
【００１６】
判定部１２は、計測部１３の計測結果に基づいて各分岐回路５の種類を判定する。計測部１３は、少なくとも第１電圧線（Ｌ１相）４１を流れる第１電流Ｉ１及び第２電圧線（Ｌ２相）４２を流れる第２電流Ｉ２の各々を計測する。判定部１２は、計測部１３の計測結果を用いて、少なくとも複数の分岐回路５の各々が、「第１分岐回路」及び「第２分岐回路」と、「第３分岐回路」とのどちらであるかを判定する。このとき、判定部１２は、第１期間と第２期間との間で生じる電流の変化を電流変化とし、第１電流Ｉ１の電流変化と第２電流Ｉ２の電流変化とが一致するか否かによって、複数の分岐回路５の各々の種類を判定する。
【００１７】
演算部１１は、複数の分岐回路５の各々について、消費電力と消費電力量との少なくとも一方を計測値として求めるように構成されている。演算部１１は、各分岐回路５が接続されている電力線４（第１電圧線４１、第２電圧線４２、及び中性線４３）の線間電圧と、各分岐回路５に流れる電流値（計測部１３の計測結果）とから、各分岐回路５での電力（消費電力や消費電力量）を演算により求める。演算部１１は、各分岐回路５での電力を求める演算を周期的に繰り返し行っている。演算部１１の演算結果は、表示部２３に表示可能であり、ユーザが各分岐回路５での消費電力や消費電力量を時系列で確認することができる。
【００１８】
また、演算部１１は、判定部１２が判定した各分岐回路５の種類（第１〜第３分岐回路）を表す特定情報に基づいて演算を行うことにより、より正確な消費電力や消費電力量を求める。演算部１１は、演算対象の分岐回路５において、判定部１２による判定が完了していない場合、演算対象の分岐回路５の種類が第１分岐回路（仮情報）であると仮定し、第１電圧線４１−中性線４３間の線間電圧を用いて演算を行う。そして、演算部１１は、判定部１２によって演算対象の分岐回路５の種類の判定が完了した後、所定のタイミング（切替タイミング）で、仮情報を用いた演算から判定部１２の判定結果を用いた演算に切り替える。したがって、演算部１１は、仮情報から判定部１２の判定結果に切り替えた後の演算では、分岐電流と、判定結果である分岐回路５の種類が示す電力線４の線間電圧、つまり分岐回路５に印加される印加電圧と、から消費電力や消費電力量を求める。
【００１９】
ここで、判定部１２の判定結果が第２分岐回路であった場合、仮情報として用いた第１分岐回路と電力線４の線間電圧の極性が逆である。したがって、仮情報（第１分岐回路）から判定部１２の判定結果（第２分岐回路）への切り替え前後において、演算部１１の演算結果の正負が逆転することとなる。また、判定部１２の判定結果が第３分岐回路であった場合、仮情報として用いた第１分岐回路と線間電圧の電圧値が２倍となる。したがって、仮情報（第１分岐回路）から判定部１２の判定結果（第３分岐回路）への切り替え前後において、演算部１１の演算結果が２倍に変化することとなる。つまり、演算部１１が、演算に判定部１２の判定結果を用いる前後において、演算結果が大きく変化するおそれがある。
【００２０】
そこで、本実施形態の判別システム１では、切替タイミングを調整することによって演算結果の整合性を向上させ、ユーザが演算結果を時系列で確認した際の違和感の軽減を図っている。
【００２１】
（２）詳細
以下に、本実施形態に係る判別システム１について詳しく説明する。本実施形態では、判別システム１は、需要家施設において消費電力と消費電力量との少なくとも一方を計測する電力計測システムに適用される。ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設の一例として説明する。
【００２２】
（２．１）基本構成
まず、判別システム１の基本構成について、図１を参照して説明する。
【００２３】
本実施形態の判別システム１は、図１に示すように、演算部１１と、判定部１２と、計測部１３と、情報記憶部１４と、履歴記憶部１５と、トリガ発生部１６と、時計部１７と、表示部２３と、を備えている。演算部１１と、判定部１２と、計測部１３と、情報記憶部１４と、履歴記憶部１５と、トリガ発生部１６と、時計部１７とは、計測ユニット６３に設けられ、分電盤６のキャビネット６０（図２参照）内に収納されている。また、表示部２３は、分電盤６とは異なる位置に設けられたコントローラ２０に設けられている。
【００２４】
計測部１３には、一対の（主幹用）電流センサ３１，３２及び複数の（分岐用）電流センサ３０１〜３０３の各々が電気的に接続されている。一対の電流センサ３１，３２は、第１電圧線４１及び第２電圧線４２に一対一に対応して設けられている。また、複数の電流センサ３０１〜３０３は、複数の分岐回路５に一対一に対応して設けられている。これにより、計測部１３では、電流センサ３１の出力から第１電圧線４１を流れる第１電流Ｉ１が計測可能であり、電流センサ３２の出力から第２電圧線４２を流れる第２電流Ｉ２が計測可能である。また、計測部１３では、複数の電流センサ３０１〜３０３の出力から、複数の分岐回路５の各々を流れる電流（以下、「分岐電流」という）を計測可能である。以下では、分岐電流を計測するための複数の電流センサ３０１〜３０３を特に区別しない場合には、複数の電流センサ３０１〜３０３の各々を「電流センサ３０」ともいう。また、図１では、分岐回路５１〜５３に流れる分岐電流をそれぞれ、分岐電流Ｉ１１〜Ｉ１３で表記している。
【００２５】
判定部１２は、計測部１３と電気的に接続されており、計測部１３の計測結果を用いて、複数の分岐回路５の各々が、「第１分岐回路」と「第２分岐回路」と「第３分岐回路」とのいずれであるかを判定する。ここでいう計測部１３の計測結果は、計測部１３での各電流（第１電流Ｉ１、第２電流Ｉ２、及び分岐電流Ｉ１１〜Ｉ１３）の計測結果であって、例えば実効値や電流波形などである。判定部１２は、分岐回路５の種類を判定することにより、分岐回路５が接続されている電力線４（第１電圧線４１、第２電圧線４２、及び中性線４３）の線間電圧、つまり分岐回路５に印加される印加電圧を判定する。
【００２６】
本実施形態では、複数の分岐回路５の各々を識別するための識別符号として回路番号（１，２，３…）が用いられ、分岐ブレーカ６２の位置ごとに個別の回路番号が割り当てられる。例えば、上段の分岐ブレーカ６２については、主幹ブレーカ６１側から順に奇数番号（１，３，５，７…）が回路番号として割り当てられる。下段の分岐ブレーカ６２については、主幹ブレーカ６１側から順に偶数番号（２，４，６，８…）が回路番号として割り当てられる。なお、分岐回路５への回路番号の割り当て方は、上述した例に限らず任意に決めることができる。
【００２７】
判定部１２は、判定した各分岐回路５の種類（第１〜第３分岐回路）を情報記憶部１４に記憶する。情報記憶部１４には、判定部１２が判定した各分岐回路５の種類（第１〜第３分岐回路）と、識別符号（回路番号）とが一対一に対応付けて記憶される。情報記憶部１４には、各分岐回路５に対して、判定部１２による最新の判定結果のみが記憶される。なお、判定部１２の動作については、「（３．１）判定動作」の欄で詳しく説明する。
【００２８】
演算部１１は、計測部１３と電気的に接続されており、計測部１３から各分岐電流の計測結果が入力される。また、演算部１１は、電力線４（第１電圧線４１、第２電圧線４２、及び中性線４３）の線間電圧を監視している。演算部１１は、分岐電流と線間電圧とを用いた演算により、各分岐回路５の消費電力と消費電力量との少なくとも一方を計測値として計測する。計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば１分間）積算した消費電力量であることとする。
【００２９】
演算部１１は、演算結果である計測値を履歴記憶部１５に記憶する。履歴記憶部１５には、演算部１１が求めた各分岐回路５の計測値（消費電力量）と、識別符号（回路番号）と、時刻情報（時刻に加えて、年月日も含む）と、がそれぞれ対応付けて記憶される。時刻情報は、時計部１７により生成される。時計部１７は、現在時刻（年月日を含む）を計時するように構成されており、計測ユニット６３が備えるコンピュータのリアルタイムクロックにより実現可能である。時計部１７は、インターネット上のＮＴＰ（Network Time Protocol）サーバにアクセスし現在時刻の問い合わせを行うことで、現在時刻などの時計情報を取得するように構成されていることが好ましい。履歴記憶部１５に記憶されたデータは、通信アダプタ６４を介して、分電盤６の外部に設けられたコントローラ２０へ送信される。なお、履歴記憶部１５は、コントローラ２０に設けられていてもよい。
【００３０】
コントローラ２０は、ＨＥＭＳ（Home Energy Management System）コントローラであり、通信部２１、処理部２２、表示部２３、及び操作部２４を有している。通信部２１は、Wi-Fi（登録商標）などの無線通信に対応した通信モジュールであり、通信アダプタ６４との間で無線通信が可能に構成されている。なお、通信部２１は、通信アダプタ６４との間で信号線を介した有線通信が可能に構成されていてもよい。処理部２２は、例えばマイコン（マイクロコンピュータ）からなり、履歴記憶部１５から取得したデータをデータ処理して表示部２３に表示させることができるように構成されている。本実施形態では、処理部２２は、履歴記憶部１５から取得したデータをグラフ化して表示部２３に表示させているが、数値化、文字化して表示部２３に表示させてもよい。表示部２３は、例えば液晶ディスプレイで構成されている。図３及び図４に、表示部２３に表示される画面の一例を示す。
【００３１】
図３の表示画面Ｐ１では、中央部の第１表示エリアＡ１に、１日間における需要家施設の総消費電力量のデータが、０時を開始時刻とした１時間単位の棒グラフで示されている。また、表示画面Ｐ１では、一日前（前日）の消費電力量のデータが、当日の消費電力量のデータとの比較のために表示されている。また、表示画面Ｐ１では、当日の消費電力量のデータのうち、電気事業者から供給された電力量（買電電力量）と、太陽光発電システムが発電した電力量（発電電力量）と、蓄電装置に蓄電した電力量（蓄電電力量）とがそれぞれ色分けして表示されている。
【００３２】
図４の表示画面Ｐ２では、中央部の第１表示エリアＡ１に、１日間における１つの分岐回路５の消費電力量のデータが、０時を開始時刻とした１時間単位の棒グラフで示されている。また、表示画面Ｐ２では、一日前（前日）の消費電力量のデータが、当日の消費電力量のデータとの比較のために表示されている。また、表示画面Ｐ２では、第１表示エリアＡ１の下側の第２表示エリアＡ２に、分岐回路５に含まれる機器の識別情報（図４では、“リビング  エアコン”）が表示されている。また、表示画面Ｐ２では、第２表示エリアＡ２の隣（図４では右隣）の第３表示エリアＡ３に、分岐回路５の１日の総消費電力量（図４では2.7kWh）、及び電気代（図４では１８３円）が表示されている。
【００３３】
操作部２４は、例えば、表示部２３を構成する液晶ディスプレイに設けられた静電式又は感圧式のタッチパネルである。ユーザが操作部２４に触れる（タップ、スワイプなどを含む）と、操作部２４から処理部２２に操作内容に応じた操作信号が出力される。処理部２２は、操作信号に応じた表示画面を表示部２３に表示させる。ユーザは、操作部２４を操作することにより、所望の演算部１１の演算結果を確認することができる。例えば、図３の表示画面Ｐ１において、第１表示エリアＡ１の左隣に表示された「月」ボタンＢ１がタップにより選択されると、処理部２２は、１ヵ月間における需要家施設の総消費電力量を１日単位の棒グラフで表示部２３に表示させる。
【００３４】
ここで、演算部１１は、情報記憶部１４に、演算対象の分岐回路５の種類を表すデータが記憶されていない場合、演算対象の分岐回路５の種類が第１分岐回路（仮情報）であると仮定して演算を行う。言い換えれば、演算部１１は、判定部１２による演算対象の分岐回路５の種類の判定が完了していない場合、演算対象の分岐回路５の種類が第１分岐回路であるという仮情報を用いて演算を行う。したがって、演算部１１は、第１電圧線４１−中性線４３間の線間電圧と、演算対象の分岐回路５の分岐電流とから、消費電力量を求める。仮情報を用いて演算された演算結果（仮結果）には、仮結果であることを示す識別情報が付加されて、履歴記憶部１５に記憶される。処理部２２は、仮結果を表示部２３に表示させる際に、表示データが仮結果であり暫定的な値であることを通知するメッセージやアイコンなどの情報を表示部２３に表示させてもよい。これにより、ユーザは、表示データが暫定的な値であることを認識することができる。
【００３５】
演算部１１は、判定部１２が演算対象の分岐回路５の種類の判定を完了しても、すぐには演算に用いず、トリガ発生部１６が切替トリガを発生した切替タイミングで、判定部１２の判定結果を用いた演算に切り替える。言い換えれば、演算部１１は、演算対象の分岐回路５の消費電力量の計測において、トリガ発生部１６が切替トリガを発生するまでは、仮情報を用いて演算を行う。トリガ発生部１６は、判定部１２が分岐回路５の種類を判定した直後に演算部１１が行う演算のタイミングよりも後のタイミングに切替トリガを発生するように構成されている。本実施形態では、トリガ発生部１６は、時計部１７から時刻情報を取得しており、判定部１２が分岐回路５の種類を判定したタイミングに関わらず、定期的に切替トリガを演算部１１に出力するように構成されている。トリガ発生部１６は、現在時刻が０時、つまり日付が変わると、切替トリガを演算部１１に出力するように構成されている。
【００３６】
演算部１１は、切替トリガが入力されると、情報記憶部１４にアクセスして判定部１２の判定結果が記憶されているか確認する。演算部１１は、情報記憶部１４に演算対象の分岐回路５の種類のデータが記憶されている場合、そのデータ（分岐回路５の種類）を用いて演算を行う。具体的には、演算部１１は、判定部１２が判定した演算対象の分岐回路５の種類に基づいた電力線４の線間電圧と、演算対象の分岐回路５の分岐電流とから、消費電力量を算出する。したがって、判定部１２による分岐回路５の種類の判定完了後において、切替トリガが発生したタイミングで、演算部１１の演算結果が、仮情報を用いた仮結果から、判定部１２の判定結果を用いた本結果に切り替わる。判定部１２による分岐回路５の種類の判定が完了していない場合、情報記憶部１４に判定結果が記憶されていないので、演算部１１は、切替トリガが発生しても仮情報を用いた演算を継続して行う。なお、トリガ発生部１６は、判定部１２による分岐回路５の種類の判定が完了した場合にのみ、切替トリガを発生するように構成されていてもよい。演算部１１の動作については、「（３．２）演算動作」の欄で詳しく説明する。
【００３７】
上述した演算部１１、判定部１２、及びトリガ発生部１６の各々は、例えばマイコン（マイクロコンピュータ）を主構成とし、マイコンのメモリに記録されたプログラムをＣＰＵ（Central Processing Unit）で実行することにより、種々の機能を実現する。プログラムは、予めマイコンのメモリに記録されていてもよいし、メモリカードのような記録媒体に記録されて提供されたり、電気通信回線を通して提供されたりしてもよい。なお、演算部１１、判定部１２、及びトリガ発生部１６は、それぞれ別のマイコンで構成されていてもよいし、１つに集約されたマイコンで構成されていてもよい。
【００３８】
（２．２）分電盤
次に、分電盤６の構成について説明する。
【００３９】
分電盤６は、図２に示すように、電力線４に電気的に接続される主幹ブレーカ６１と、主幹ブレーカ６１の二次側端子に電気的に接続される複数の分岐ブレーカ６２とをキャビネット６０内に備えている。さらに、分電盤６は、計測ユニット６３、通信アダプタ６４、電流センサ３１，３２、及びセンサ群３３，３４をキャビネット６０内に備えている。
【００４０】
主幹ブレーカ６１の一次側端子は、３線式（第１電圧線４１、第２電圧線４２、及び中性線４３）の電力線４を介して、系統電源７（図１参照）に電気的に接続されている。主幹ブレーカ６１の二次側端子には、３極（Ｌ１相、Ｌ２相、Ｎ相）の導電バーが接続されている。これら３極の導電バーは、第１電圧線（Ｌ１相）４１、第２電圧線（Ｌ２相）４２、及び中性線（Ｎ相）４３と一対一に電気的に接続される。
【００４１】
複数の分岐ブレーカ６２は、導電バーに接続されることにより、主幹ブレーカ６１の二次側端子に電気的に接続される。なお、複数の分岐ブレーカ６２は、導電バーの幅方向の両側（上段と下段）に分かれて、それぞれ複数ずつ配置されている。
【００４２】
ここで、複数の分岐ブレーカ６２のうち、「第１分岐回路」である分岐回路５１に含まれる分岐ブレーカ６２は、Ｌ１相の導電バーとＮ相の導電バーとに接続されている。また、複数の分岐ブレーカ６２のうち、「第２分岐回路」である分岐回路５２に含まれる分岐ブレーカ６２は、Ｌ２相の導電バーとＮ相の導電バーとに接続されている。さらに、複数の分岐ブレーカ６２のうち、「第３分岐回路」である分岐回路５３に含まれる分岐ブレーカ６２は、Ｌ１相の導電バーとＬ２相の導電バーとに接続されている。これにより、「第１分岐回路」となる分岐回路５１の各々は、第１電圧線（Ｌ１相）４１及び中性線（Ｎ相）４３に対して電気的に接続されることになる。また、「第２分岐回路」となる分岐回路５２の各々は、第２電圧線（Ｌ２相）４２及び中性線（Ｎ相）４３に対して電気的に接続されることになる。さらに、「第３分岐回路」となる分岐回路５３の各々は、第１電圧線（Ｌ１相）４１及び第２電圧線（Ｌ２相）４２に対して電気的に接続されることになる。
【００４３】
ここにおいて、１００〔Ｖ〕用の分岐ブレーカ６２、つまり「第１分岐回路」又は「第２分岐回路」に分類される分岐回路５の分岐ブレーカ６２は、導電バーの上段に取り付けられた状態では、第１電圧線４１及び中性線４３に対して電気的に接続される。一方、導電バーの下段に取り付けられた状態では、１００〔Ｖ〕用の分岐ブレーカ６２は、第２電圧線４２及び中性線４３に対して電気的に接続される。また、２００Ｖ用の分岐ブレーカ６２、つまり「第３分岐回路」に分類される分岐回路５の分岐ブレーカ６２は、導電バーの上段、下段に関わらず、第１電圧線４１及び第２電圧線４２に対して電気的に接続される。
【００４４】
計測ユニット６３には、一対の電流センサ３１，３２及びセンサ群３３，３４の各々が電気的に接続されている。電流センサ３１，３２，３０１〜３０３としては、例えばＣＴ（Current Transformer）センサ、ホール素子、ＧＭＲ（Giant Magnetic Resistances）素子等の磁気抵抗素子、シャント抵抗などが用いられる。本実施形態では一例として、電流センサ３１，３２，３０１〜３０３の各々はＣＴセンサからなる。
【００４５】
一対の電流センサ３１，３２は、主幹ブレーカ６１の一次側端子に接続された電力線４の電流を計測するように、電力線４に取り付けられている。ここでは、一対の電流センサ３１，３２のうち、一方の（第１の）電流センサ３１は第１電圧線４１に取り付けられ、他方の（第２の）電流センサ３２は第２電圧線４２に取り付けられている。これにより、計測ユニット６３に設けられた計測部１３では、電流センサ３１の出力から第１電圧線４１を流れる第１電流Ｉ１が計測可能となり、電流センサ３２の出力から第２電圧線４２を流れる第２電流Ｉ２が計測可能となる。
【００４６】
センサ群３３，３４の各々は、複数の電流センサ３０を具備し、これら複数の電流センサ３０が、複数の分岐ブレーカ６２に一対一に対応するようにして、複数の分岐ブレーカ６２と導電バーとの間に取り付けられている。これにより、計測ユニット６３に設けられた計測部１３では、センサ群３３，３４の各々の出力から、複数の分岐回路５の各々を流れる分岐電流が計測可能となる。
【００４７】
ここで、導電バーの上段の分岐ブレーカ６２は、１００〔Ｖ〕用か２００〔Ｖ〕用かによらず、いずれも第１電圧線４１に対して電気的に接続される。一方、導電バーの下段の分岐ブレーカ６２は、１００〔Ｖ〕用か２００〔Ｖ〕用かによらず、いずれも第２電圧線４２に対して電気的に接続される。そこで、上段の分岐ブレーカ６２の電流を計測するセンサ群３３においては、複数の電流センサ３０は、第１電圧線４１と分岐ブレーカ６２との間に設置され、第１電圧線４１と分岐ブレーカ６２との間の電流を計測する。一方、下段の分岐ブレーカ６２の電流を計測するセンサ群３４においては、複数の電流センサ３０は、第２電圧線４２と分岐ブレーカ６２との間に設置され、第２電圧線４２と分岐ブレーカ６２との間の電流を計測する。
【００４８】
（３．１）判定動作
次に、本実施形態の判別システム１における、判定部１２の動作（判定動作）について説明する。
【００４９】
本実施形態では、判定部１２は、計測部１３の計測結果を用いて、少なくとも複数の分岐回路５の各々が、「第１分岐回路」及び「第２分岐回路」と、「第３分岐回路」とのどちらであるかを判定する。言い換えれば、判定部１２は、計測部１３の計測結果を用いて、少なくとも複数の分岐回路５の各々の電圧区分が１００〔Ｖ〕か２００〔Ｖ〕かを判定する。このとき、判定部１２は、第１期間と第２期間との間で生じる電流の変化を電流変化とし、第１電流Ｉ１の電流変化と、第２電流Ｉ２の電流変化とが一致するか否かによって、複数の分岐回路５の各々の種類を判定する。要するに、判定部１２は、ある期間（第１期間と第２期間とを含む期間）内において、時間経過に伴って第１電流Ｉ１に生じる変化と第２電流Ｉ２に生じる変化との一致、不一致により、分岐回路５の種類を判定する。第１期間と第２期間とは、互いに同じ時間幅（時間長さ）、かつ同じ位相であることが好ましい。
【００５０】
ここでいう電流変化は、第１期間と第２期間との間で生じる電流波形の特徴量の変化である。具体的には、判定部１２は、例えば第１電流Ｉ１については、第１期間の電流波形と第２期間の電流波形との差分（差分波形）を、電流波形の特徴量の変化、つまり第１電流Ｉ１の電流変化として求める。判定部１２は、第２電流Ｉ２についても同様に、第１期間の電流波形と第２期間の電流波形との差分（差分波形）を、電流変化として求める。
【００５１】
ここで、判定部１２は、第１電流Ｉ１と第２電流Ｉ２とで差分波形（第１期間の電流波形と第２期間の電流波形との差分）同士を比較することにより、両者の一致、不一致を判断し、判断結果から分岐回路５の種類を判定する。このとき、判定部１２は、第１電流Ｉ１と第２電流Ｉ２とで差分波形同士を比較するにあたり、例えばパターンマッチングにより、両者の一致度（合致度）を数値化して求める。そして、一致度が閾値以上であれば、判定部１２では、第１電流Ｉ１の電流変化と第２電流Ｉ２の電流変化とが一致すると判断する。
【００５２】
また、本実施形態では、計測部１３は、上述したように、複数の分岐回路５の各々を流れる分岐電流を計測するように構成されている。判定部１２は、第１電流Ｉ１の電流変化と第２電流Ｉ２の電流変化とが一致しない場合、第１電流Ｉ１及び第２電流Ｉ２の各々と分岐電流とで差分波形同士を比較する。この場合においても、パターンマッチングにより差分波形同士を比較する。
【００５３】
本実施形態において、判定部１２は、第１期間と第２期間とを１組とする判定期間を設定し、判定期間内で生じる電流の変化、つまり第２期間と第１期間との差分波形を、第１期間と第２期間との間で生じる電流変化として抽出する。
【００５４】
例えば、第１期間から第２期間にかけて、複数の分岐回路５１〜５３のうちの１つの分岐回路５に含まれる機器がオン（あるいはオフ）することで、この分岐回路５の通電状態が変化した場合を想定する。以下では、第１期間から第２期間にかけて通電状態が変化した分岐回路５を「対象回路」ともいう。
【００５５】
この場合において、通電状態が変化した分岐回路（対象回路）５が、第１電圧線４１及び中性線４３に接続された「第１分岐回路」、例えば分岐回路５１であったとする。このとき、分岐回路５１の通電状態の変化に起因して、第１電圧線４１及び中性線４３を通して分岐回路５１を流れる電流に、変化が生じることになる。言い換えれば、分岐回路５１の通電状態の変化に起因した電流変化は、第２電圧線４２には生じず、第１電圧線４１のみに生じる。そのため、「第１分岐回路」にて通電状態が変化した場合、第１電流Ｉ１に生じる電流変化と第２電流Ｉ２に生じる電流変化とは一致しないこと（不一致）になる。
【００５６】
また、通電状態が変化した分岐回路（対象回路）５が、第２電圧線４２及び中性線４３に接続された「第２分岐回路」、例えば分岐回路５２であったとする。このとき、分岐回路５２の通電状態の変化に起因して、第２電圧線４２及び中性線４３を通して分岐回路５２を流れる電流に、変化が生じることになる。言い換えれば、分岐回路５２の通電状態の変化に起因した電流変化は、第１電圧線４１には生じず、第２電圧線４２のみに生じる。そのため、「第２分岐回路」にて通電状態が変化した場合、第１電流Ｉ１に生じる電流変化と第２電流Ｉ２に生じる電流変化とは一致しないこと（不一致）になる。
【００５７】
これに対して、通電状態が変化した分岐回路（対象回路）５が、第１電圧線４１及び第２電圧線４２に接続された「第３分岐回路」、例えば分岐回路５３であったとする。このとき、分岐回路５３の通電状態の変化に起因して、第１電圧線４１及び第２電圧線４２を通して分岐回路５３を流れる電流に、変化が生じることになる。言い換えれば、分岐回路５３の通電状態の変化に起因した電流変化は、第１電圧線４１と第２電圧線４２との両方に生じる。そのため、「第３分岐回路」にて通電状態が変化した場合、第１電流Ｉ１に生じる電流変化と第２電流Ｉ２に生じる電流変化とは一致することになる。
【００５８】
そこで、判定部１２は、第１電流Ｉ１に生じる電流変化と第２電流Ｉ２に生じる電流変化とが一致しなければ、つまり不一致であれば、対象回路が「第１分岐回路」又は「第２分岐回路」であると判定する。一方、第１電流Ｉ１に生じる電流変化と第２電流Ｉ２に生じる電流変化とが一致すれば、判定部１２は、対象回路が「第３分岐回路」であると判定する。
【００５９】
また、対象回路が「第１分岐回路」及び「第２分岐回路」のいずれかである場合、分岐回路５の通電状態の変化に起因した電流変化、言い換えると分岐電流に生じる電流変化は、第１電圧線４１と第２電圧線４２との一方のみに生じる。したがって、この場合には、分岐電流に生じる電流変化は、第１電流Ｉ１に生じる電流変化と第２電流Ｉ２に生じる電流変化との一方と一致することになる。
【００６０】
そこで、判定部１２は、分岐電流に生じる電流変化と第１電流Ｉ１に生じる電流変化とが一致すれば、対象回路が「第１分岐回路」であると判定する。また、判定部１２は、分岐電流に生じる電流変化と第２電流Ｉ２に生じる電流変化とが一致すれば、対象回路が「第２分岐回路」であると判定する。
【００６１】
このように、判定部１２は、「第１分岐回路」及び「第２分岐回路」と「第３分岐回路」とで電流の経路が異なることを利用し、第１電流Ｉ１の電流変化と第２電流Ｉ２の電流変化とが一致するか否かによって、対象回路の種類を判定する。したがって、判定部１２は、電力線４のうち少なくとも第１電圧線４１及び第２電圧線４２の各々を流れる電流の計測結果を用いることで、分岐回路５の種類を判定することが可能である。
【００６２】
さらに、本実施形態では、複数の分岐回路５の各々を流れる分岐電流を計測部１３が計測し、その計測結果を用いて、判定部１２が複数の分岐回路５の種類を判定するように構成されている。そのため、第１電流Ｉ１の電流変化と第２電流Ｉ２の電流変化とが一致しない場合において、分岐電流の電流変化が第１電流Ｉ１の電流変化と第２電流Ｉ２の電流変化とのいずれに一致するかによって、分岐回路５の種類を判定することも可能である。
【００６３】
上述のように、判定部１２は、第１電流Ｉ１の電流変化と第２電流Ｉ２の電流変化とが一致しない場合、複数の分岐回路５のうち、分岐電流の電流変化が第１電流Ｉ１の電流変化と一致する分岐回路５について、「第１分岐回路」であると判定する。また、判定部１２は、第１電流Ｉ１の電流変化と第２電流Ｉ２の電流変化とが一致しない場合、複数の分岐回路５のうち、分岐電流の電流変化が第２電流Ｉ２の電流変化と一致する分岐回路５について、「第２分岐回路」であると判定する。
【００６４】
すなわち、判定部１２は、判定の対象となる対象回路（第１期間から第２期間にかけて通電状態が変化した分岐回路５）を、分岐電流の電流変化（第１期間と第２期間との間で生じる電流の変化）に基づいて、複数の分岐回路５の中から特定する。対象回路が「第１分岐回路」であれば、第１電流Ｉ１の電流変化と第２電流Ｉ２の電流変化とが一致せず、かつ、対象回路の分岐電流の電流変化は第１電流Ｉ１の電流変化と一致することになる。
【００６５】
また、対象回路が「第２分岐回路」であれば、第１電流Ｉ１の電流変化と第２電流Ｉ２の電流変化とが一致せず、かつ、対象回路の分岐電流の電流変化は第２電流Ｉ２の電流変化と一致することになる。言い換えれば、第１電流Ｉ１の電流変化と第２電流Ｉ２の電流変化とが一致しない場合には、分岐電流の電流変化が第１電流Ｉ１及び第２電流Ｉ２のいずれかの電流変化と一致する分岐回路５が、第１分岐回路又は第２分岐回路であると推定される。そこで、判定部１２は、分岐電流の電流変化が第１電流Ｉ１の電流変化と一致する分岐回路５については、「第１分岐回路」であると判定する。また、判定部１２は、分岐電流の電流変化が第２電流Ｉ２の電流変化と一致する分岐回路５については、「第２分岐回路」であると判定する。
【００６６】
同様に、判定部１２は、第１電流Ｉ１の電流変化と第２電流Ｉ２の電流変化とが一致する場合、複数の分岐回路５のうち、分岐電流の電流変化が第１電流Ｉ１及び第２電流Ｉ２の両方の電流変化と一致する分岐回路５について、「第３分岐回路」であると判定する。
【００６７】
すなわち、対象回路が「第３分岐回路」であれば、第１電流Ｉ１の電流変化と第２電流Ｉ２の電流変化とが一致し、かつ、対象回路の分岐電流の電流変化は第１電流Ｉ１及び第２電流Ｉ２の両方の電流変化と一致することになる。言い換えれば、第１電流Ｉ１の電流変化と第２電流Ｉ２の電流変化とが一致する場合には、分岐電流の電流変化が第１電流Ｉ１及び第２電流Ｉ２の両方の電流変化と一致する分岐回路５が、第３分岐回路であると推定される。そこで、判定部１２は、分岐電流の電流変化が第１電流Ｉ１及び第２電流Ｉ２の両方の電流変化と一致する分岐回路５については、「第３分岐回路」であると判定する。
【００６８】
（３．２）演算動作
次に、本実施形態の判別システム１における、演算部１１の動作（演算動作）の一例について図５を参照して説明する。ここでは、時刻ｔ０に判別システム１が起動し、演算対象である所定の分岐回路５において、時刻ｔ１に、判定部１２による分岐回路５の種類（第１〜第３分岐回路）の判定が完了した場合を例に説明する。
【００６９】
時刻ｔ０（図５では一例として１４時）の時点では、判別システム１の起動直後であり、判定部１２による分岐回路５の種類の判定が完了していない。したがって、演算部１１は、演算対象の分岐回路５の種類が第１分岐回路（仮情報）と仮定し、分岐回路５の消費電力量を演算により求めている。つまり、時刻ｔ０の時点では、演算部１１によって求められた演算対象の分岐回路５の消費電力量は、仮情報に基づいた仮結果である。演算部１１によって求められた仮結果は、履歴記憶部１５に記憶され、ユーザによるコントローラ２０の操作部２４の操作に応じて表示部２３に表示される。
【００７０】
時刻ｔ１（図５では一例として２０時）において、上述した判定部１２による判定動作によって、分岐回路５の種類が判定され、情報記憶部１４に、判定結果のデータが書き込まれる。ここでは、一例として、分岐回路５の種類の判定結果が「第３分岐回路」であったとする。時刻ｔ１において、分岐回路５の識別符号（回路番号）と種類（第３分岐回路）とが一対一に対応付けられて情報記憶部１４に記憶される。
【００７１】
演算部１１は、判定部１２による分岐回路５の種類の判定が完了しても、すぐには判定結果を用いた演算には切り替えず、切替トリガが発生するまでは仮情報を用いて演算を継続して行う。トリガ発生部１６は、現在時刻が０時（時刻ｔ２）になると、切替トリガを演算部１１に出力する。演算部１１は、切替トリガが入力されると、情報記憶部１４にアクセスし、演算対象の分岐回路５の種類のデータが記憶されているかを確認する。ここでは、時刻ｔ１において、判定部１２によって判定された分岐回路５の種類のデータ（第３分岐回路）が書き込まれている。したがって、演算部１１は、判定部１２の判定結果である演算対象の分岐回路５の種類のデータを取得し、第３分岐回路に接続された第１電圧線４１−第２電圧線４２間の線間電圧と、演算対象の分岐回路５の分岐電流とから、消費電力量を求める。つまり、切替トリガが発生した時刻ｔ２以降において、演算部１１によって求められた演算対象の分岐回路５の消費電力量は、判定部１２の判定結果を用いた本結果である。演算部１１によって求められた本結果は、履歴記憶部１５に記憶され、ユーザによるコントローラ２０の操作に応じて表示部２３に表示される。
【００７２】
このように、判定部１２によって分岐回路５の種類が判定されると、その後の切替トリガを境にして、演算部１１の演算結果が仮結果から本結果に切り替わる。
【００７３】
（４）利点
次に、本実施形態に係る判別システム１の利点について説明する。
【００７４】
本実施形態の判別システム１では、演算部１１は、判定部１２が判定した分岐回路５の種類を、切替タイミング以降の演算に用いる。この切替タイミングは、判定部１２が分岐回路５の種類を判定したタイミングに関わらず、トリガ発生部１６が、日付の変わる０時に切替トリガを発生したタイミングである。そのため、０時を境にして演算部１１の演算結果が、仮情報を用いた仮結果から、判定部１２の判定結果を用いた本結果に切り替わる。したがって、１日間の消費電力量のデータに、仮結果と本結果とが混在することがなくなるので、１日間の消費電力量のデータの整合性が向上し、ユーザが消費電力量のデータを確認した際の違和感が軽減される。
【００７５】
また、本実施形態では、図３及び図４に示すように、１日間の消費電力量を表示部２３に表示する場合、０時を開始時刻としている。したがって、表示部２３に表示される表示画面において、１日間の消費電力量のデータは、仮結果と本結果のいずれか一方のみであるので、ユーザが違和感を感じにくくなる。
【００７６】
なお、トリガ発生部１６が切替トリガを発生するタイミングは０時に限らず、他の時刻であってもよい。この場合、トリガ発生部１６が切替トリガを発生する時刻と、表示部２３に表示される１日間の消費電力量のグラフの開始時刻とが一致していることが好ましい。
【００７７】
また、トリガ発生部１６は、切替トリガを発生させるタイミングが１日に１回に限らず、所定期間に複数回発生させるように構成されていてもよい。例えば、トリガ発生部１６は、正時ごと（毎時０分）に、切替トリガを発生するように構成されていてもよい。この場合、判定部１２が分岐回路５の種類の判定を完了すると、次の正時のタイミングで、演算部１１の演算結果が仮結果から本結果に切り替わる。したがって、１時間の消費電力量のデータに、仮結果と本結果とが混在することがなくなる。これにより、１時間ごとの消費電力量のデータの整合性を保ち、ユーザが違和感を感じさせにくくしつつ、より早いタイミングで仮結果から本結果に切り替えることができる。なお、トリガ発生部１６が切替トリガを発生するタイミングは、１時間ごと、１日ごとに限らず、１週間ごと、１ヶ月ごとなどであってもよい。
【００７８】
（５）変形例
次に、本実施形態に係る判別システム１の変形例を列挙する。以下に説明する各変形例は、上述の実施形態、又は変形例同士を適宜組み合わせて適用可能である。
【００７９】
（５．１）第１変形例
本実施形態に係る判別システム１の第１変形例について説明する。
【００８０】
第１変形例の判別システム１では、判定部１２による判定動作が完了すると、完了した旨をユーザに通知する通知部を備える点が、上述した実施形態の判別システム１と相違する。
【００８１】
本変形例では、通知部は、コントローラ２０の表示部２３と兼用されている。判定部１２は、分岐回路５の種類の判定が完了すると、通信アダプタ６４を介してコントローラ２０に判定通知信号を送信する。判定通知信号には、判定部１２が判定した分岐回路５の識別符号（回路番号）のデータが含まれている。コントローラ２０の処理部２２は、判定部１２からの判定通知信号を受信すると、表示部２３に分岐回路５の種類の判定が完了した旨のメッセージを、例えばポップアップ表示させることによりユーザに通知する。
【００８２】
さらに、本変形例では、処理部２２は、判定部１２による判定が完了した旨のメッセージとともに、判定結果を消費電力量の演算に反映させるか否（無視）かの選択ボタンを表示部２３に表示させる。ユーザが操作部２４への操作入力で、「反映」を選択した場合、処理部２２は、通信部２１、通信アダプタ６４を介して計測ユニット６３に反映通知信号を送信する。
【００８３】
トリガ発生部１６は、コントローラ２０からの反映通知信号を受信すると、切替トリガを演算部１１に出力する。演算部１１は、情報記憶部１４に記憶されている判定部１２の判定結果を取得し、分岐回路５の消費電力量を本結果として求める。これにより、演算部１１の演算結果が仮結果から本結果に切り替わる。
【００８４】
ユーザが操作部２４への操作入力で「無視」を選択した場合、処理部２２は、反映通知信号の送信を行わない。したがって、演算部１１は、判定部１２の判定結果を演算に用いず、仮情報を用いた演算を継続する。なお、ユーザが「無視」を一旦選択した場合であっても、表示部２３に表示される設定画面などから「反映」を選択することが可能である。
【００８５】
このように、本変形例に係る判別システム１では、判定部１２が判定動作を完了すると、その旨をユーザに通知し、ユーザが消費電力量の演算に反映させるか否かを選択することができる。したがって、ユーザが任意のタイミングで、消費電力量のデータを仮結果から本結果に切り替えることができ、利便性が向上する。
【００８６】
なお、通知部は、表示部２３と兼用した構成に限らず、発光ダイオードなどを用いた表示ランプによる通知、あるいはスピーカを用いた音（音声を含む）による通知を行うように構成されていてもよい。
【００８７】
（５．２）第２変形例
次に、本実施形態に係る判別システム１の第２変形例について説明する。
【００８８】
第２変形例の判別システム１では、トリガ発生部１６は、所定の条件が満たされたタイミングで切替トリガを発生する点が、上述した実施形態の判別システム１と相違する。
【００８９】
本変形例のトリガ発生部１６は、判定部１２の判定動作が完了した分岐回路５において、演算部１１の演算結果と閾値とを比較する比較処理を行う。そして、トリガ発生部１６は、所定の条件として、演算部１１の演算結果が閾値を下回る、という条件が満たされると、切替トリガを演算部１１に出力する。ここでの演算部１１の演算結果とは、仮情報を用いた仮結果であり、一定期間（例えば１分間、５分間など）における消費電力量である。閾値は、分岐回路５に含まれる機器がオフ状態であることを判定するための値であり、例えば５〔Ｗ〕などである。切替トリガは、演算部１１の演算結果が閾値を下回ると、分岐回路５に含まれる機器がオフ状態であると判断し、切替トリガを演算部１１に出力する。これにより、演算部１１の演算結果が仮結果から本結果に切り替わる。なお、閾値は、機器の待機電力などを考慮して適宜設定可能であり、機器の待機電力が０〔Ｗ〕である場合、閾値が０〔Ｗ〕であってもよい。
【００９０】
このように、本変形例に係る判別システム１では、分岐回路５に含まれる機器がオフ状態であるタイミングで、演算部１１の演算結果が仮結果から本結果に切り替わる。つまり、演算部１１の演算結果である消費電力量が比較的小さいタイミングで、演算部１１の演算結果が仮結果から本結果に切り替わるので、ユーザが演算部１１の演算結果を確認した際に違和感を感じにくくなる。
【００９１】
所定の条件は、演算部１１の演算結果が閾値を下回る、という条件に限らない。例えば、所定条件は、需要家施設内において、ユーザである住人が不在である、という条件であってもよい。この場合、トリガ発生部１６は、例えば、需要家施設に設けられたセキュリティシステムの動作モードが留守モードであるか否かで、ユーザが需要家施設に不在であるか否かを判断する。トリガ発生部１６は、判定部１２の判定動作の完了後において、セキュリティシステムの動作モードが留守モードになると、ユーザが需要家施設に不在であると判断して切替トリガを演算部１１に出力する。したがって、ユーザである住人が外出中であるタイミングで、演算部１１の演算結果が仮結果から本結果に切り替わる。ユーザが外出中である場合、停止している機器が多く消費電力量が比較的小さいと推定されるので、ユーザが演算部１１の演算結果を確認した際に違和感を感じにくくなる。
【００９２】
なお、ユーザが不在であるか否かを判断する対象箇所は、需要家施設全体である必要はなく、部屋単位であってもよい。例えば、所定条件は、分岐回路５に含まれる機器が設けられた部屋において、ユーザが不在である、という条件であってもよい。この場合、トリガ発生部１６は、例えば、部屋に設けられた人感センサの出力に基づいて、ユーザが部屋に不在であるか否かを判断する。トリガ発生部１６は、人感センサが人を検知していない時間が一定時間（例えば、１０分、３０分、１時間など）継続すると、ユーザが部屋に不在であると判断して切替トリガを演算部１１に出力する。したがって、ユーザである住人が部屋に不在であるタイミングで、この部屋に割り当てられた分岐回路５の消費電力量である演算部１１の演算結果が仮結果から本結果に切り替わる。ユーザが不在であるか否かを判断する部屋は、例えばコントローラ２０が設置された部屋であってもよい。
【００９３】
また、所定の条件は、ユーザである住人が就寝中である、という条件であってもよい。この場合、トリガ発生部１６は、例えば、人感センサ、明るさセンサなどの出力に基づいて、ユーザが就寝中であるか否かを判断する。トリガ発生部１６は、人感センサが寝室などにおいて人を検知中であり、かつ、明るさセンサの出力が基準値以下である場合、住人が就寝中であると判断して切替トリガを演算部１１に出力する。したがって、ユーザである住人が就寝中であるタイミングで、演算部１１の演算結果が仮結果から本結果に切り替わる。ユーザが就寝中である場合、停止している機器が多く消費電力量が比較的小さいと推定されるので、ユーザが演算部１１の演算結果を確認した際に違和感を感じにくくなる。
【００９４】
なお、需要家施設内の住人全員が就寝中である必要はなく、部屋ごとに住人が就寝中であるか否かを判断してもよい。例えば、所定条件は、分岐回路５に含まれる機器が設けられた部屋において、ユーザが就寝中である、という条件であってもよい。
【００９５】
また、上述した所定の条件の各々を組み合わせて適用可能であり、トリガ発生部１６は、いずれかの条件が満たされた場合に、切替トリガを演算部１１に出力するように構成されていてもよい。
【００９６】
（５．３）第３変形例
次に、本実施形態に係る判別システム１の第３変形例について説明する。
【００９７】
第３変形例の判別システム１では、演算部１１が、判定部１２の判定結果を用いて、履歴記憶部１５に記憶されている過去の演算結果を更新する点が、上述した実施形態の判別システム１と相違する。
【００９８】
演算部１１は、トリガ発生部１６から切替トリガが入力されると、判定部１２の判定結果を用いた演算に切り替わることにより、以降の演算結果が仮結果から本結果に切り替わる。さらに本変形例では、演算部１１は、判定部１２の判定結果が仮情報と異なる場合、履歴記憶部１５に記憶されている仮結果と、判定部１２の判定結果とを用いて再演算を行い、履歴記憶部１５に記憶されているデータを更新する。例えば、判定部１２の判定結果が第３分岐回路であったとする。仮情報である第１分岐回路が接続される電力線４の線間電圧が１００〔Ｖ〕であるのに対し、第３分岐回路が接続される電力線４の線間電圧が２００〔Ｖ〕である。したがって、演算部１１は、履歴記憶部１５に記憶されている仮結果を２倍にする演算を行い、履歴記憶部１５に上書きする。
【００９９】
これにより、本変形例では、判定部１２の判定動作の完了前における演算部１１の演算結果（仮結果）が判定部１２の判定結果に基づいて補正される。したがって、ユーザは、判定部１２の判定動作の完了前における演算結果（消費電力量）についても、より正確なデータを確認することができる。
【０１００】
なお、履歴記憶部１５に記憶されている過去の仮結果のデータの全てを更新する必要はなく、切替トリガが発生したタイミングが属する単位期間分のデータのみを構成してもよい。例えば、演算部１１は、履歴記憶部１５に記憶されている過去の仮結果のデータのうち、切替トリガが発生した当日分のデータのみを更新するように構成されていてもよい。これにより、判定部１２が判定動作を完了した日の前日以前のデータが、更新されないのでユーザの違和感が軽減される。なお、単位期間は１日に限らず、１時間、１２時間、１週間、１ヶ月などであってもよい。また、単位期間は、表示部２３に表示される期間と一致した期間であってもよい。
【０１０１】
（５．４）その他の変形例
次に、本実施形態に係る判別システム１のその他の変形例ついて列挙する。
【０１０２】
本実施形態では、需要家施設での配電方式が単相三線式である場合を例にして説明したが、配電方式は、三相三線式であってもよい。
【０１０３】
本実施形態では、判定部１２は、演算部１１が演算に用いる特定情報として、分岐回路５の種類を判定する場合を例にして説明したが、特定情報は、分岐回路５の種類に限らない。判定部１２は、分岐回路５に含まれる機器の種類を特定情報として判定するように構成されていてもよい。この場合、判定部１２は、計測部１３の計測結果である分岐回路５の分岐電流の電流波形に基づいて、機器の種類（例えば、エアコン、照明器具、ドライヤー、テレビなど）を判定する。演算部１１は、判定部１２が判定した機器の種類に対応付けて消費電力量を演算により求める。また、図４に示すように、判定部１２が判定した機器の種類は、表示画面Ｐ２の第２表示エリアＡ２に表示される。演算部１１は、判定部１２の判定動作の完了前であり機器の種類が不明である場合、仮情報として、機器の種類を「その他」にして消費電力量を求める。
【０１０４】
また、判定部１２は、計測部１３の計測結果である電流波形、ピーク値などに基づいて、電流センサ３０，３１，３２の種類、定格電流、取付状況などを特定情報として判定するように構成されていてもよい。電流センサの種類とは、例えばＣＴセンサが分割型であるか貫通型であるかを示す情報である。電流センサの取付状況とは、例えばＣＴセンサの取付方向（極性）、分割型ＣＴトランスの嵌合状態などを示す情報である。
【０１０５】
また、本実施形態では、演算部１１は、資源の使用状況として分岐回路５の電力（消費電力量）を演算により求める場合を例に説明したが、これに限らず、分岐回路５の電気料金を演算により求めるように構成されていてもよい。また、資源は、電気（電力）に限らず、例えば、水道、ガスなどであってもよい。この場合、演算部１１は、水道、ガスの使用量を演算により求める。
【０１０６】
また、本実施形態では、戸建住宅を需要家施設の一例として説明しているが、この例に限らず、需要家施設は、集合住宅の各住戸などの戸建住宅以外の住宅、あるいは事務所、店舗等の非住宅であってもよい。
【０１０７】
また、本実施形態では、判別システム１は、計測ユニット６３及びコントローラ２０を含む１つのシステムで実現されているが、２つ以上のシステムで実現されていてもよい。例えば、演算部１１及び判定部１２の機能が、２つ以上のシステムに分散して設けられていてもよい。また、演算部１１及び判定部１２のうち少なくとも１つの機能が、２つ以上のシステムに分散して設けられていてもよい。また、演算部１１及び判定部１２の各機能が、複数の装置に分散して設けられていてもよい。例えば、演算部１１の機能が２つ以上の装置に分散して設けられていてもよい。また、判別システム１の少なくとも一部の機能が、例えばクラウドコンピューティングにより実現されていてもよい。
【０１０８】
（６）判別方法、プログラム
上述の実施形態（各変形例も含む）は、様々な実施形態の一つに過ぎない。上述の実施形態は、上記実施形態は、本開示の目的を達成できれば、設計等に応じて種々の変更が可能である。また、判別システム１と同様の機能は、判別方法、コンピュータプログラム、又はプログラムを記録した記録媒体等で具現化されてもよい。
【０１０９】
本実施形態に係る判別方法は、演算により分岐回路５の消費電力量を繰り返し求める演算処理と、演算処理に用いられる分岐回路５の種類を判定する判定処理とを含む。演算処理では、判定処理で判定された分岐回路５の種類を、切替タイミング以降の演算に用いる。この切替タイミングは、判定処理で分岐回路５の種類を判定した直後に演算処理で行う演算よりも後のタイミングである。
【０１１０】
また、本実施形態に係る（コンピュータ）プログラムは、コンピュータシステムに、演算処理と、判定処理と、を実行させるためのプログラムである。
【０１１１】
判別システム１及び判別方法の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、判別システム１又は判別方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１２】
（７）まとめ
第１態様に係る判別システム（１）は、演算部（１１）と、判定部（１２）と、を備える。演算部（１１）は、資源の使用状況に関する演算を繰り返し行う。判定部（１２）は、演算部（１１）が演算に用いる特定情報を判定する。演算部（１１）は、判定部（１２）が判定した特定情報を、切替タイミング以降の演算に用いるように構成されている。切替タイミングは、判定部（１２）が特定情報を判定した直後に演算部（１１）が行う演算よりも後のタイミングである。
【０１１３】
この態様によれば、演算部（１１）は、判定部（１２）が特定情報を判定したタイミングに関わらず、切替タイミングで特定情報を用いた演算に切り替えるので、演算結果の整合性が向上する。これにより、ユーザが演算部（１１）の演算結果を確認した際の違和感を軽減することができる。
【０１１４】
第２態様に係る判別システム（１）は、第１態様において、情報記憶部（１４）と、トリガ発生部（１６）と、を更に備える。情報記憶部（１４）は、判定部（１２）が判定した特定情報を記憶する。トリガ発生部（１６）は、切替トリガを発生する。切替タイミングは、トリガ発生部（１６）が切替トリガを発生したタイミングである。演算部（１１）は、切替タイミング以降の演算に、情報記憶部（１４）に記憶されている特定情報を用いる。
【０１１５】
この態様によれば、判定部（１２）の判別結果が情報記憶部（１４）に記憶されているので、演算部（１１）は、判定部（１２）が特定情報の判定後において、切替トリガが発生した切替タイミングで判定部（１２）の判定結果を容易に取得することができる。
【０１１６】
第３態様に係る判別システム（１）では、第２態様において、トリガ発生部（１６）は、切替トリガを定期的に発生するように構成されている。
【０１１７】
この態様によれば、演算部（１１）による判定部（１２）の判定結果の取得漏れを抑制することができる。
【０１１８】
第４態様に係る判別システム（１）では、第２態様において、トリガ発生部（１６）は、所定条件が満たされると切替トリガを発生するように構成されている。
【０１１９】
この態様によれば、所定条件が、ユーザが違和感を感じにくい状況に設定されていれば、そのタイミングで特定情報を用いた演算が開始されるので、演算部（１１）の演算結果をユーザが確認した際の違和感をより軽減することができる。
【０１２０】
第５態様に係る判別システム（１）では、第４態様において、所定条件は、資源の使用量が閾値を下回るという条件である。
【０１２１】
この態様によれば、資源の使用量が閾値よりも小さい切替タイミングで、演算部（１１）が判定部（１２）の判定結果を用いた演算が開始される。したがって、切替タイミングの前後で演算結果の変化が小さく、演算部（１１）の演算結果をユーザが確認した際の違和感をより軽減することができる。
【０１２２】
第６態様に係る判別システム（１）は、第２態様において、判定部（１２）が特定情報の判定が完了すると通知を行う通知部（２３）を更に備える。
【０１２３】
この態様によれば、判定部（１２）による特定情報の判定が完了したことをユーザが認識することができ、利便性が向上する。
【０１２４】
第７態様に係る判別システム（１）は、第６態様において、ユーザからの操作入力を受け付ける操作部（２４）を更に備える。トリガ発生部（１６）は、操作部（２４）が受け付けた入力情報に基づいて切替トリガを発生する。
【０１２５】
この態様によれば、ユーザが意図したタイミングで、判定部（１２）の判定結果を用いた演算が開始されるので、演算部（１１）の演算結果をユーザが確認した際の違和感をより軽減することができる。
【０１２６】
第８態様に係る判別システム（１）では、第１〜第７態様のいずれかにおいて、演算部（１１）は、資源の使用状況として回路（分岐回路５）ごとの電力を演算により求めるように構成されている。判定部（１２）は、特定情報として回路（５）ごとに印加される印加電圧を判定するように構成されている。
【０１２７】
この態様によれば、演算部（１１）の演算結果である回路（５）の電力の整合性が向上し、ユーザが回路（５）の電力を確認した際の違和感を軽減することができる。
【０１２８】
第９態様に係る判別システム（１）は、第１〜第８態様のいずれかにおいて、演算部（１１）の演算結果を表示する表示部（２３）を更に備える。
【０１２９】
この態様によれば、ユーザが演算部（１１）の演算結果を表示部（２３）で視認することができ利便性が向上する。
【０１３０】
第１０態様に係る判別システム（１）では、第９態様において、演算部（１１）は、切替タイミング以前の演算に仮情報を用いる。
【０１３１】
この態様によれば、演算部（１１）は、仮情報を用いて暫定的に演算結果を求めることができ、暫定的に求めた演算結果が表示部（２３）に表示されるので、演算部（１１）の演算結果のデータ抜けを抑制することができる。
【０１３２】
第１１態様に係る判別システム（１）では、第１０態様において、表示部（２３）は、演算部（１１）が仮情報を用いて演算した演算結果を仮結果として表示する。
【０１３３】
この態様によれば、ユーザは、表示部（２３）に表示される演算結果が仮結果であることを認識でき、利便性が向上する。
【０１３４】
第１２態様に係る判別システム（１）は、第１〜第１１態様のいずれかにおいて、演算部（１１）の演算結果の履歴を記憶する履歴記憶部（１５）を更に備える。
【０１３５】
この態様によれば、ユーザが過去の演算結果の履歴を確認することができ、利便性が向上する。
【０１３６】
第１３態様に係る判別システム（１）では、第１２態様において、演算部（１１）は、切替タイミングより前の資源の使用状況を、履歴記憶部（１５）に記憶されている演算部（１１）の演算結果と、判定部（１２）が判定した特定情報を用いて再演算する。
【０１３７】
この態様によれば、切替タイミングより前の資源の使用状況が再演算によって求められるので、ユーザがより正確な演算結果を確認することができる。
【０１３８】
第１４態様に係る判別システム（１）では、第１３態様において、演算部（１１）は、切替タイミングが属する単位期間における切替タイミング以前の資源の使用状況を、履歴記憶部（１５）に記憶されている演算部（１１）の演算結果と、判定部（１２）が判定した特定情報を用いて再演算する。
【０１３９】
この態様によれば、単位期間よりも前の資源の使用状況に関しては再演算されないので、演算部（１１）の処理を軽減できる。
【０１４０】
なお、第２〜第１４の態様に係る構成については、判別システム（１）に必須の構成ではなく、適宜省略可能である。
【０１４１】
第１５態様に係る判別方法は、演算処理と判定処理とを含む。演算処理では、資源の使用状況に関する演算を繰り返し行う。判定処理では、演算処理で演算に用いられ特定情報を判定する。また、演算処理では、判定処理で判定された特定情報を、切替タイミング以降の演算に用いる。切替タイミングは、判定処理で特定情報を判定した直後に演算処理で行う演算より後のタイミングである。
【０１４２】
この態様によれば、演算処理において、判定処理でが特定情報を判定したタイミングに関わらず、切替タイミングで特定情報を用いた演算に切り替えるので、演算結果の整合性が向上する。これにより、ユーザが演算処理での演算結果を確認した際の違和感を軽減することができる。
【０１４３】
第１６態様に係るプログラムは、コンピュータシステムに、第１５態様の判別方法を実行させる。
【０１４４】
この態様によれば、演算処理において、判定処理でが特定情報を判定したタイミングに関わらず、切替タイミングで特定情報を用いた演算に切り替えるので、演算結果の整合性が向上する。これにより、ユーザが演算処理での演算結果を確認した際の違和感を軽減することができる。
【符号の説明】
【０１４５】
１  判別システム
１１  演算部
１２  判定部
１４  情報記憶部
１６  トリガ発生部
２４  操作部
２３  表示部（通知部）
５  分岐回路（回路）
【図１】
2019004666.tif 000003
【図２】
2019004666.tif 000004
【図３】
2019004666.tif 000005
【図４】
2019004666.tif 000006
【図５】
2019004666.tif 000007